(57)【要約】【課題】レセプタクルコネクタとプラグコネクタのロック及びロック解除を確実かつ容易に行うことができるコネクタの抜け防止機構を実現する。【解決手段】コネクタの抜け防止機構に関する。レセプタクルコネクタは、レセプタクルシェルの内側の面に位置し、挿入方向の押圧に対しては可動し、抜去方向の押圧に対しては可動しないラッチ部と、ラッチ部を押圧可能に移動する押圧部材とを有し、プラグコネクタは、プラグシェルの外側の面に突起部を有し、プラグコネクタ挿入時には、突起部はラッチ部を押圧しながら移動し、突起部がラッチ部を越えた位置において突起部とラッチ部とが係合し、プラグコネクタ抜去時には、押圧部材を挿入方向へ移動させてラッチ部を押圧して突起部とラッチ部との係合が解除する。【選択図】図１
2008204830.tif 000002
【特許請求の範囲】
【請求項１】
レセプタクルコネクタとプラグコネクタが相互に嵌合接続されるコネクタの抜け防止機構であって、
前記レセプタクルコネクタは、レセプタクルシェルの内側の面に位置し、挿入方向の押圧に対しては可動し、抜去方向の押圧に対しては可動しないラッチ部と、該ラッチ部を押圧可能に移動する押圧部材とを有し、
前記プラグコネクタは、プラグシェルの外側の面に突起部を有し、
前記プラグコネクタ挿入時には、前記突起部は前記ラッチ部を押圧しながら移動し、前記突起部が前記ラッチ部を越えた位置において前記突起部と前記ラッチ部とが係合し、
前記プラグコネクタ抜去時には、前記押圧部材を挿入方向へ移動させて前記ラッチ部を押圧して前記突起部と前記ラッチ部との係合が解除することを特徴とするコネクタの抜け防止機構。
【請求項２】
前記可動ラッチ部は、直角三角柱部材をばね部材で支えた構造であり、前記プラグコネクタ挿入時に前記突起部が前記直角三角柱部材の斜面に接触しながら移動することを特徴とする請求項１記載のコネクタの抜け防止機構。
【請求項３】
前記押圧部材は、その一部が前記レセプタクルシェルにばね部材で固定されており、挿入方向へ移動時に前記ばね部材が伸び、抜去方向へは弾性力により戻ることを特徴とする請求項１又は２記載のコネクタの抜け防止機構。
【請求項４】
前記プラグコネクタは、ＵＳＢコネクタのシリーズＢであることを特徴とする請求項１乃至３のいずれかに記載のコネクタの抜け防止機構。
【請求項５】
レセプタクルコネクタとプラグコネクタが相互に嵌合接続されるコネクタの抜け防止機構であって、
前記レセプタクルコネクタは、レセプタクルシェルの内側の面に位置し、挿入方向の押圧に対しては可動し、抜去方向の押圧に対しては可動しないラッチ部と、該ラッチ部を押圧可能に移動する押圧部材とを有し、
前記プラグコネクタは、プラグシェルの外側の面に孔部を有し、
前記プラグコネクタ挿入時には、前記プラグシェルの外側の面で前記ラッチ部を押圧しながら移動し、前記孔部が前記ラッチ部の位置にくると前記孔部と前記ラッチ部とが係合し、
前記プラグコネクタ抜去時には、前記押圧部材を挿入方向へ移動させて前記ラッチ部を押圧して前記孔部と前記ラッチ部との係合が解除することを特徴とするコネクタの抜け防止機構。
【発明の詳細な説明】
【技術分野】
【０００１】
本発明は、レセプタクルコネクタとプラグコネクタが相互に嵌合接続されるコネクタの抜け防止機構に関するものである。
【背景技術】
【０００２】
パソコン、プリンタ、スキャナ、オシロスコープ、ＰＬＣ（Programmable Logic Controller）等の電子機器には外部機器と接続するためＵＳＢ（Universal Serial Bus）等のインターフェースが設けられており、機器間をケーブル等で電気的に接続している。
【０００３】
ＵＳＢコネクタの場合、電子機器側のレセプタクルコネクタにプラグコネクタを差し込み、プラグ端子とレセプタクル端子を電気的に接続する。通常、プラグコネクタにはケーブルが接続されＵＳＢケーブルとして使用され、電子機器と外部機器とを接続する。
ＵＳＢコネクタのシリーズＢにおいては、レセプタクルコネクタのシェルには弾性を有する係止片が形成されており、プラグコネクタのシェルには突起部が形成されている。プラグコネクタをレセプタクルコネクタに挿し込んだ際、レセプタクルコネクタの係止片でプラグコネクタの突起部を係止する構造となっている。
【０００４】
【特許文献１】特開２００６−１２７９０５号公報
【発明の開示】
【発明が解決しようとする課題】
【０００５】
従来のＵＳＢコネクタは、レセプタクルコネクタとプラグコネクタのロック機構がなく挿抜可能で扱い易い反面、係止力が弱かった。そのため、振動が長時間かかった場合や不注意によりケーブルに外力を加わる等によりコネクタが抜けてしまう可能性もあり、通信が中断してしまうという問題点があった。また、ＰＬＣ等の信頼性の要求される電子機器においては確実にロックできる機構が求められていた。
【０００６】
本発明は上述した問題点を解決するためになされたものであり、レセプタクルコネクタとプラグコネクタのロック及びロック解除を確実かつ容易に行うことができるコネクタの抜け防止機構を実現することを目的とする。
【課題を解決するための手段】
【０００７】
このような課題を達成するために、本発明は次のとおりの構成になっている。
（１）レセプタクルコネクタとプラグコネクタが相互に嵌合接続されるコネクタの抜け防止機構であって、
前記レセプタクルコネクタは、レセプタクルシェルの内側の面に位置し、挿入方向の押圧に対しては可動し、抜去方向の押圧に対しては可動しないラッチ部と、該ラッチ部を押圧可能に移動する押圧部材とを有し、
前記プラグコネクタは、プラグシェルの外側の面に突起部を有し、
前記プラグコネクタ挿入時には、前記突起部は前記ラッチ部を押圧しながら移動し、前記突起部が前記ラッチ部を越えた位置において前記突起部と前記ラッチ部とが係合し、
前記プラグコネクタ抜去時には、前記押圧部材を挿入方向へ移動させて前記ラッチ部を押圧して前記突起部と前記ラッチ部との係合が解除することを特徴とするコネクタの抜け防止機構。
【０００８】
（２）前記可動ラッチ部は、直角三角柱部材をばね部材で支えた構造であり、前記プラグコネクタ挿入時に前記突起部が前記直角三角柱部材の斜面に接触しながら移動することを特徴とする（１）記載のコネクタの抜け防止機構。
【０００９】
（３）前記押圧部材は、その一部が前記レセプタクルシェルにばね部材で固定されており、挿入方向へ移動時に前記ばね部材が伸び、抜去方向へは弾性力により戻ることを特徴とする（１）又は（２）記載のコネクタの抜け防止機構。
【００１０】
（４）前記プラグコネクタは、ＵＳＢコネクタのシリーズＢであることを特徴とする（１）乃至（３）のいずれかに記載のコネクタの抜け防止機構。
（５）レセプタクルコネクタとプラグコネクタが相互に嵌合接続されるコネクタの抜け防止機構であって、
前記レセプタクルコネクタは、レセプタクルシェルの内側の面に位置し、挿入方向の押圧に対しては可動し、抜去方向の押圧に対しては可動しないラッチ部と、該ラッチ部を押圧可能に移動する押圧部材とを有し、
前記プラグコネクタは、プラグシェルの外側の面に孔部を有し、
前記プラグコネクタ挿入時には、前記プラグシェルの外側の面で前記ラッチ部を押圧しながら移動し、前記孔部が前記ラッチ部の位置にくると前記孔部と前記ラッチ部とが係合し、
前記プラグコネクタ抜去時には、前記押圧部材を挿入方向へ移動させて前記ラッチ部を押圧して前記孔部と前記ラッチ部との係合が解除することを特徴とするコネクタの抜け防止機構。
【発明の効果】
【００１１】
本発明によれば次のような効果がある。
挿入方向の押圧に対しては可動し、抜去方向の押圧に対しては可動しないラッチ部を、突起部（又は孔部）と係合させる構造としたので、レセプタクルコネクタとプラグコネクタのロック及びロック解除を確実かつ容易に行うことができる。
【発明を実施するための最良の形態】
【００１２】
以下、図面を用いて本発明を詳細に説明する。
図１は本発明の一実施例を示す構成図である。
図１（ａ）はレセプタクルコネクタを挿入口側からみた図であり、図１（ｂ）は図１（ａ）を上側からみた図である。必要な構成要素を模式的に表している。
レセプタクルコネクタのレセプタクルシェル１０の内側の左右の側面にラッチ部２０ａ，２０ｂが位置する。ラッチ部２０ａは、プラグコネクタを挿入する方向（Ａ）の押圧に対してはレセプタクルシェル１０の外側方向（Ｃ）へ可動するが、プラグコネクタを抜去する方向（Ｂ）の押圧に対しては可動しない。ラッチ部２０ｂは、プラグコネクタを挿入する方向（Ａ）の押圧に対してはレセプタクルシェル１０の外側方向（Ｄ）へ可動するが、プラグコネクタを抜去する方向（Ｂ）の押圧に対しては可動しない。
【００１３】
この例では、ラッチ部２０ａ，２０ｂは、直角三角柱の部材をばね部材２１ａ，２１ｂで支えた構造としているが、挿入方向の押圧に対しては可動し、抜去方向の押圧に対しては可動しない構造であればよい。
【００１４】
押圧部材３０は、ラッチ部２０ａ，２０ｂを押圧するための部材で、レセプタクルコネクタに移動可能に取り付けられている。
この例では、押圧部材３０は、プラグコネクタの挿入の邪魔にならないようにレセプタクルシェル１０の枠に沿って配置されている。押圧部材３０の一部はレセプタクルシェル１０にばね部材３１ａ，３１ｂで固定されており、挿入方向（Ａ）へ移動させることでラッチ部２０ａ，２０ｂを押圧する。この際、ばね部材３１ａ，３１ｂが伸びるため、抜去方向（Ｂ）に対してはばねの弾性力によりもとの位置に戻る。
【００１５】
押圧部材３０は、ラッチ部２０ａ，２０ｂを押圧するための部材であればよく、必ずしもばね部材３１ａ，３１ｂで固定されている必要はない。また、その形状も本実施例に限定されるものではない。
【００１６】
図２はコネクタをロックする際の動作説明図である。
図２（ａ）〜（ｃ）でレセプタクルコネクタとプラグコネクタをロックさせる様子を表している。
図２（ａ）は、プラグコネクタをレセプタクルコネクタに挿入し始めた状態である。プラグコネクタのプラグシェル４０の外側の左右の側面には突起部４１ａ，４１ｂが位置している。
【００１７】
図２（ｂ）で、プラグコネクタを挿入していくと、突起部４１ａ，４１ｂがレセプタクルコネクタのラッチ部２０ａ，２０ｂに接触し始め、突起部４１ａ，４１ｂはラッチ部２０ａ，２０ｂの直角三角柱の斜面に接触しながら移動する際にラッチ部２０ａ，２０ｂをレセプタクルシェル１０の外側方向へ押しのけていく。
【００１８】
図２（ｃ）で、突起部４１ａ，４１ｂがラッチ部２０ａ，２０ｂを越えた位置までくると、ラッチ部２０ａ，２０ｂはばね部材２１ａ，２１ｂの弾性力でレセプタクルシェル１０の内側方向へ押し戻される。そうすると、プラグコネクタを抜去方向へ引っ張ってもラッチ部２０ａ，２０ｂは可動しなくなり、突起部４１ａ，４１ｂとラッチ部２０ａ，２０ｂとが係合し、レセプタクルコネクタとプラグコネクタがロックされた状態となる。
【００１９】
図３はコネクタのロックを解除する際の動作説明図である。
図３（ａ）〜（ｃ）でレセプタクルコネクタとプラグコネクタのロックを解除する様子を表している。
図３（ａ）はレセプタクルコネクタとプラグコネクタがロックされた状態であり、このままではプラグコネクタを抜去方向へ引っ張ってもプラグコネクタの突起部４１ａ，４１ｂがレセプタクルコネクタのラッチ部２０ａ，２０ｂに引っ掛かり、プラグコネクタを引き抜くことができない。  
【００２０】
図３（ｂ）で、押圧部材３０を挿入方向へ移動させていくと、押圧部材３０がラッチ部２０ａ，２０ｂに接触し始め、押圧部材３０はラッチ部２０ａ，２０ｂの直角三角柱の斜面に接触しながら移動する際にラッチ部２０ａ，２０ｂをレセプタクルシェル１０の外側方向へ押しのけていく。そうすると、突起部４１ａ，４１ｂとラッチ部２０ａ，２０ｂとの係合が解除される。
【００２１】
図３（ｃ）で、レセプタクルコネクタとプラグコネクタのロックが解除された状態で、プラグコネクタを抜去方向へ引っ張ることにより、レセプタクルコネクタからプラグコネクタを引き抜くことができる。
押圧部材３０はばね部材３１ａ，３１ｂの弾性力によりもとの位置に戻り、ラッチ部２０ａ，２０ｂへの押圧も解除されるので、ラッチ部２０ａ，２０ｂはばね部材２１ａ，２１ｂの弾性力によりもとの位置に戻る。
【００２２】
図４は本発明の他の構成による動作説明図である。
図１〜３では、レセプタクルコネクタのラッチ部２０ａ，２０ｂとプラグコネクタの突起部４１ａ，４１ｂが係合する構成について示したが、図４（ａ）〜（ｃ）でレセプタクルコネクタのラッチ部２０ａ，２０ｂとプラグコネクタの孔部５１ａ，５１ｂが係合する構成について示している。
図４（ａ）は、プラグコネクタをレセプタクルコネクタに挿入し始めた状態である。プラグコネクタのプラグシェル５０の外側の左右の側面には孔部５１ａ，５１ｂが位置している。
【００２３】
図４（ｂ）で、プラグコネクタを挿入していくと、プラグシェル５０の外側の面でレセプタクルコネクタのラッチ部２０ａ，２０ｂに接触し始め、プラグシェル５０の外側の面でラッチ部２０ａ，２０ｂを押圧しながら移動する。その際、ラッチ部２０ａ，２０ｂはレセプタクルシェル１０の外側へ押しのけられる。
【００２４】
図４（ｃ）で、孔部５１ａ，５１ｂがラッチ部２０ａ，２０ｂの位置までくると、ラッチ部２０ａ，２０ｂの押圧が解除され、ラッチ部２０ａ，２０ｂはばね部材２１ａ，２１ｂの弾性力でレセプタクルシェル１０の内側方向へ押し戻される。そうすると、プラグコネクタを抜去方向へ引っ張ってもラッチ部２０ａ，２０ｂは可動しなくなり、孔部５１ａ，５１ｂとラッチ部２０ａ，２０ｂとが係合し、レセプタクルコネクタとプラグコネクタがロックされた状態となる。
【００２５】
このように、挿入方向の押圧に対しては可動し、抜去方向の押圧に対しては可動しないラッチ部を、突起部（又は孔部）と係合させる構造としたので、レセプタクルコネクタとプラグコネクタのロックを確実かつ容易にすることができる。また、押圧部材によりラッチ部を押圧することで、レセプタクルコネクタとプラグコネクタのロック解除を確実かつ容易にすることができる。
【００２６】
これにより、電子機器に振動が長時間かかった場合や不注意により電子機器間のケーブルに外力を加えてしまうこと等によりコネクタが抜けてしまうことを防ぐことができる。また、ＰＬＣ等の信頼性の要求される電子機器においてもＵＳＢケーブル等をより安全に使用することができる。
【００２７】
レセプタクルコネクタのラッチ部の位置はレセプタクルシェルの内側の左右の側面以外の場所であってもよく、ラッチ部の数は２つ以外であっても適用可能である。
また、プラグコネクタの突起部（又は孔部）の位置はプラグシェルの外側の左右の側面以外の場所であってもよく、突起部（又は孔部）の数は２つ以外であっても適用可能である。
【００２８】
ＵＳＢコネクタのシリーズＢにおいては、プラグコネクタにはあらかじめ突起部が形成されているので、レセプタクル側の機構だけを変えればよく、プラグ側は市販のものをそのまま使用することができる。
【図面の簡単な説明】
【００２９】
【図１】本発明の一実施例を示す構成図である。
【図２】コネクタをロックする際の動作説明図である。
【図３】コネクタのロックを解除する際の動作説明図である。
【図４】本発明の他の構成による動作説明図である。
【符号の説明】
【００３０】
１０  レセプタクルシェル
２０ａ，２０ｂ  ラッチ部
２１ａ，２１ｂ  ばね部材
３０  押圧部材
３１ａ，３１ｂ  ばね部材
４０，５０  プラグシェル
４１ａ，４１ｂ  突起部
５１ａ，５１ｂ  孔部
【図１】
2008204830.tif 000003
【図２】
2008204830.tif 000004
【図３】
2008204830.tif 000005
【図４】
2008204830.tif 000006